(57)【要約】本発明は、揮発性物質の詰め替え品または容器の交換を容易にする密封システムを備える揮発性物質用蒸発装置（１）に関する。本発明は、蒸発装置に安全な密封システム（８）を提供し、子供が、揮発性物質のタブレットまたは容器（５）を取り出すことを困難にする。密封部材（８）と容器とは、密封部材の開動作の間、容器の少なくとも一部がチャンバから引き出されるように、関連付けられている。
2010507424.tif 000002
【特許請求の範囲】
【請求項１】
揮発性物質用蒸発装置であって、
内部チャンバと、前記チャンバへのアクセスを提供する開口とを含むケーシングと、
前記ケーシングに設けられ、前記開口を開閉する可動密封部材と、
前記チャンバ内に収納された揮発性物質の容器と、を含み、
前記密封部材と容器とは、前記密封部材の開動作の間、前記容器の少なくとも一部が前記チャンバから引き出されるように、関連付けられている、揮発性物質用蒸発装置。
【請求項２】
請求項１に記載の装置において、前記密封部材と容器とは、前記密封部材の開移動の間、着脱可能に係合している、揮発性物質用蒸発装置。
【請求項３】
請求項１に記載の装置において、揮発性物質の前記容器は、側面レールを有し、滑動により前記チャンバ内に収納される、揮発性物質用蒸発装置。
【請求項４】
請求項１に記載の装置において、前記密封部材は、２本のガイドアームを有し、前記ガイドアームは、それぞれ、自由端に、前記ガイドアームに対して直角に設けられたピンを有し、前記ガイドアームは、前記ケーシング内に挿入され、前記ケーシングのそれぞれの側面ガイドに沿って滑動してもよい、揮発性物質用蒸発装置。
【請求項５】
請求項１に記載の装置において、前記ケーシングは、それぞれ、自由端に、歯を有する２本のフレキシブルアームを含み、前記密封部材は、窓を有し、前記窓は、前記密封部材が係止された位置において、前記歯が、前記窓内に嵌合するように配置される、揮発性物質用蒸発装置。
【請求項６】
請求項１に記載の装置において、前記密封部材は、内部にフックを備え、前記容器は、壁を有し、前記密封部材を開けようとすると、前記フックと前記壁とが係合する、揮発性物質用蒸発装置。
【発明の詳細な説明】
【技術分野】
【０００１】
本発明は、一般的に、揮発性物質または活性物質を蒸発させる装置に関する。活性物質は、例えば、タブレット、または、薄膜を備えたトレイ形状の容器に収容されてもよい。
【０００２】
特に、本発明の第１の目的は、揮発性物質の詰め替え品または容器の交換を容易にする密封システムを備える揮発性物質用蒸発装置を提供することである。
【０００３】
また、本発明の目的は、蒸発装置に安全な密封システムを提供し、子供が揮発性物質のタブレットまたは容器を取り出すことを困難にすることである。
【背景技術】
【０００４】
揮発性物質用の蒸発装置はよく知られている。蒸発装置には、活性物質を含む瓶と、当該瓶の中に一部を浸された芯とを含む装置もある。揮発性物質を含浸させたタブレット、または、容器内の物質が蒸発できる半透性の膜によって閉じられた容器を用いるタイプの蒸発装置もある。
【０００５】
これらの蒸発装置は、揮発性物質が消費された場合、瓶または容器の交換を可能にする手段を有する。
【発明の概要】
【発明が解決しようとする課題】
【０００６】
本発明は、カートリッジから揮発性物質を蒸発させる加熱手段を含む揮発性物質用蒸発装置であって、カートリッジは、滑動によって装置に完全に導入される必要がある。
【課題を解決するための手段】
【０００７】
本発明は、好ましくは、子供に安全な機構を備えた、芳香剤、殺虫剤、殺生物剤、鬱血除去剤（descongestioning formulae）などの揮発性物質蒸発器のための密封システムを提供する。本発明の装置は、液体と（子供やペットなどの）非制御主体（uncontrolled actors）との偶発的な接触を防ぐ。そのため、密封システムは、２工程操作手順及び両手の使用を必要とする。
【０００８】
特に、本発明は、内部チャンバと、当該チャンバへのアクセスを提供する開口とを含むケーシングを含む揮発性物質用の蒸発装置を提供する。揮発性物質のタブレットまたは容器は、当該チャンバ内に収納される。
【０００９】
取り出し可能な密封部材は、開口を開閉するために、ケーシングに設けられ、密封部材と容器とは、密封部材の開動作の間、容器の少なくとも一部が、チャンバから引き出されるように関連付けられている。このように、ユーザが密封部材を開ける場合、詰め替え品または容器が引き出されるので、ユーザは、それまでチャンバに収納されていた容器を、指で非常に簡単に取り出すことができる。
【発明の効果】
【００１０】
本発明の利点は、容器が正しく開けられなければ、詰め替え品を取り出すことができない可能性を高め、子供が揮発性物質に接触する危険を減少させることができること、及び、詰め替え品の収納に必要なスペースを減少させること（加熱領域外に拡張された部分がないこと）である。
【００１１】
説明を補い、本発明の特徴をより理解するのに役立てる目的で、実際の実施形態の好ましい例に基づいて、限定ではなく図示の目的で、以下の図一式を、説明の重要な部分として添付する。
【図面の簡単な説明】
【００１２】
【図１】密封部材が係止された状態の、水平位置の装置の斜視図である。
【図２】可動密封部材の開移動の第１段階を示す、装置の斜視図である。
【図３】可動密封部材の開移動の第２段階を示す、装置の斜視図である。
【図４】装置の正面斜視図を示す。
【図５】詰め替え品または容器と係合している密封部材の閉位置を示す、装置の一部の断面図である。
【図６】可動密封部材の開移動の第２段階を示す、装置の斜視図であり、容器が部分的に装置のケーシングから引き出されている。
【図７】可動密封部材の開移動の第２段階を示す、装置の斜視図であり、密封部材の誤った開口により、容器が装置から引き出されていない。
【図８】揮発性物質の詰め替え品または容器の斜視図を示す。
【図９】密封部材を下から見た斜視図である。
【発明を実施するための形態】
【００１３】
添付の図面において、本発明の蒸発装置（１）は、ケーシング（２）を有し、ケーシング（２）は、通常、揮発性物質または活性物質を蒸発させる熱を発生する、ＰＴＣ発熱抵抗体（図示せず）に電力を供給するコンセントに接続される電気用プラグ（３）を備える。
【００１４】
好ましい実施形態において、揮発性物質は、詰め替え品、または、一方の面に半透性の膜を備えたトレイ形状の容器（４）に収容される。揮発性物質は、例えば、液体またはゲルでもよい。
【００１５】
ケーシング（２）は、容器（４）を受ける大きさ及び形状にされたチャンバ（５）を内部に含む。チャンバ（５）には、ケーシング（２）の一方の端部に設けられた開口（７）を通してアクセスできる。
【００１６】
ケーシング（２）は、直方体であり、通常使用時は、垂直に置かれるので、密封部材（８）は、ケーシングの下端に位置する。
【００１７】
揮発性物質の容器（４）は、側面レール（６、６’）を有するので、滑動によりチャンバ（５）内に収納できる。
【００１８】
可動密封部材（８）は、ケーシング（２）に設けられ、開口（７）を開閉する。密封部材（８）は、２本のガイドアーム（９、９’）を有し、ガイドアームは、それぞれ、自由端に、ガイドアーム（９、９’）に対して直角に設けられたピン（１０、１０’）を有する。ガイドアーム（９、９’）は、ケーシング（２）に挿入され、図４に示すように、それぞれの側面ガイド（１１、１１’）に沿って滑動してもよい。密封部材（８）の開動作中の移動は、２つの動作の組み合わせから成る。図２の矢印（Ａ）で示される第１動作では、密封部材は、ケーシング（２）の角柱形状によって規定された水平面を移動する。密封部材が矢印（Ａ）の方向に移動すると同時に、密封部材は、ピン（１０、１０’）を中心にして回動可能で、図６の矢印（Ｂ）の方向に上方に移動する。
【００１９】
好ましくは、本発明の蒸発装置は、子供が密封部材を開け、容器を取り出し、揮発性物質に接触することを困難にするために、密封システムのための安全手段を含む。好ましい実施形態において、安全手段は、自由端にそれぞれ歯（１３、１３’）を有する２本のフレキシブルアーム（１２、１２’）を含む。
【００２０】
一方、密封部材（８）には、窓（１４、１４’）が形成され、この窓は、密封部材（８）が係止された位置において、歯（１３、１３’）が、図１に示すように、窓（１４、１４’）内に嵌合するように配置されている。
【００２１】
歯（１３、１３’）と密封部材（８）との係合を解放するために、ユーザは、歯（１３、１３’）が窓（１４、１４’）から引き出されるまで、フレキシブルアーム（１２、１２’）に、同時に圧力をかけなければならない。同時に、ユーザは、密封部材（８）を矢印（Ａ）の方向に動かす必要がある。
【００２２】
開口（７）を閉じる動作の間、密封部材（８）は、歯（１３、１３’）において、フレキシブルアーム（１２、１２’）に圧力をかけ、スナップ式の結合で密封部材を係止することができる。
【００２３】
密封部材（８）の閉動作及び開動作は、大人には、容易に実行できるが、子供やペットにとっては困難であるので、揮発性物質による被害を防ぐことができる。
【００２４】
密封部材と容器とは、密封部材の開動作の間、容器の少なくとも一部が、チャンバから引き出されるように関連付けられている。この動作の関連のため、密封部材（８）は、内部にフック（１５、１５’）を備え、容器は、壁（１６、１６’）を有する。図５から分かるように、密封部材（８）を開けようとすると、フック（１５、１５’）と壁（１６、１６’）とが係合して、密封部材（８）の移動により、容器がチャンバ（５）の外に引き出される。密封部材（８）が矢印（Ｂ）の方向に移動すると、フックと壁との係合が解放される。この動きの後、容器（５）は、図６に示すように、部分的にチャンバ（７）から引き出されるので、揮発性物質を消費した後、容器を新しい容器に交換する必要がある場合、ユーザは、容器を取り出すことができる。
【図１】
2010507424.tif 000003
【図２】
2010507424.tif 000004
【図３】
2010507424.tif 000005
【図４】
2010507424.tif 000006
【図５】
2010507424.tif 000007
【図６】
2010507424.tif 000008
【図７】
2010507424.tif 000009
【図８】
2010507424.tif 000010
【図９】
2010507424.tif 000011
【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
揮発性物質用蒸発装置であって、
内部チャンバと、前記チャンバへのアクセスを提供する開口とを含むケーシングと、
前記ケーシングに設けられ、前記開口を開閉する可動密封部材と、
前記チャンバ内に収納された揮発性物質の容器と、を含み、
前記密封部材は、前記密封部材の開動作の間、前記容器と着脱可能に係合するように構成され、
前記密封部材の前記開動作の第１段階の間、前記容器の少なくとも一部が、前記チャンバから引き出される、揮発性物質用蒸発装置。
【請求項２】
請求項１に記載の装置において、前記密封部材が閉じた位置において、前記密封部材と容器とは、係合しない、揮発性物質用蒸発装置。
【請求項３】
請求項１または２に記載の装置において、前記密封部材及び前記容器は、前記開動作の第２段階において、前記密封部材と前記容器との前記係合が解放されるように、構成された、揮発性物質用蒸発装置。
【請求項４】
請求項１に記載の装置において、揮発性物質の前記容器は、側面レールを有し、滑動により前記チャンバ内に収納される、揮発性物質用蒸発装置。
【請求項５】
請求項１に記載の装置において、前記密封部材は、２本のガイドアームを有し、前記ガイドアームは、それぞれ、自由端に、前記ガイドアームに対して直角に設けられたピンを有し、前記ガイドアームは、前記ケーシング内に挿入され、前記ケーシングのそれぞれの側面ガイドに沿って滑動する、揮発性物質用蒸発装置。
【請求項６】
請求項１に記載の装置において、前記ケーシングは、それぞれ、自由端に、歯を有する２本のフレキシブルアームを含み、前記密封部材は、窓を有し、前記窓は、前記密封部材が係止された位置において、前記歯が、前記窓内に嵌合するように配置される、揮発性物質用蒸発装置。
【請求項７】
請求項１に記載の装置において、前記密封部材は、内部にフックを備え、前記容器は、壁を有し、前記密封部材を開けようとすると、前記フックと前記壁とが係合する、揮発性物質用蒸発装置。
【国際調査報告】
2010507424.tif 000012
2010507424.tif 000013
2010507424.tif 000014